(57)【要約】  キャリアアグリゲーションに対応した無線通信システムにおける基地局であって、ユーザ装置がキャリアアグリゲーションで対応可能なバンドの組み合わせを示す第一のバンド組み合わせ情報であって第一のフォーマットで生成された第一のバンド組み合わせ情報を前記ユーザ装置から受信する受信部と、前記第一のバンド組み合わせ情報で示されるバンドの組み合わせに基づいて、第二のバンド組み合わせ情報を第二のフォーマットを用いて生成する生成部と、前記生成部により生成された前記第二のバンド組み合わせ情報を、当該基地局とは異なる他の基地局又は交換機に送信する送信部と、を有する基地局を提供する。
2017051807.tif 000002
【特許請求の範囲】
【請求項１】
キャリアアグリゲーションに対応した無線通信システムにおける基地局であって、
ユーザ装置がキャリアアグリゲーションで対応可能なバンドの組み合わせを示す第一のバンド組み合わせ情報であって第一のフォーマットで生成された第一のバンド組み合わせ情報を前記ユーザ装置から受信する受信部と、
前記第一のバンド組み合わせ情報で示されるバンドの組み合わせに基づいて、第二のバンド組み合わせ情報を第二のフォーマットを用いて生成する生成部と、
前記生成部により生成された前記第二のバンド組み合わせ情報を、当該基地局とは異なる他の基地局又は交換機に送信する送信部と、
を有する基地局。
【請求項２】
前記送信部は、前記第一のバンド組み合わせ情報と前記第二のバンド組み合わせ情報とを、前記他の基地局又は前記交換機に送信する、請求項１に記載の基地局。
【請求項３】
前記生成部は、前記第一のバンド組み合わせ情報で示されるバンドの組み合わせのうち少なくとも１つ以上のバンド組み合わせを選択し、選択した１つ以上のバンド組み合わせを示す第二のバンド組み合わせ情報を第二のフォーマットを用いて生成する、請求項１又は２に記載の基地局。
【請求項４】
前記第一のバンド組み合わせ情報は、
組み合わせるＣＣ数が最も多い最上位のバンド組み合わせを示す最上位バンド組み合わせ情報、を含む情報、
組み合わせるＣＣ数が最も多い最上位のバンド組み合わせを示す最上位バンド組み合わせ情報と、前記ユーザ装置が対応していない非対応のバンド組み合わせを示す非対応バンド組み合わせ情報と、を含む情報、
組み合わせるＣＣ数が最も多い最上位のバンド組み合わせを示す最上位バンド組み合わせ情報と、前記ユーザ装置が対応していない非対応のバンド組み合わせを示す非対応バンド組み合わせ情報と、最上位バンド組み合わせに対応するパラメータと異なるパラメータを有するバンド組み合わせを示す例外バンド組み合わせ情報を含む情報と、を含む情報、
組み合わせるＣＣ数が最も多い最上位のバンド組み合わせを示す最上位バンド組み合わせ情報と、最上位バンド組み合わせに対応するパラメータと異なるパラメータを有するバンド組み合わせを示す例外バンド組み合わせ情報を含む情報と、を含む情報、
のうちいずれか１つである、請求項１乃至３のいずれか一項に記載の基地局。
【請求項５】
前記第一のバンド組み合わせ情報は、ＳｕｐｐｏｒｔｅｄＢａｎｄＣｏｍｂｉｎａｔｉｏｎ−ｒ１３であり、前記第二のバンド組み合わせ情報は、ＳｕｐｐｏｒｔｅｄＢａｎｄＣｏｍｂｉｎａｔｉｏｎ−ｒ１０である、請求項１乃至４のいずれか一項に記載の基地局。
【請求項６】
キャリアアグリゲーションに対応した無線通信システムにおける基地局が行う通知方法であって、
ユーザ装置がキャリアアグリゲーションで対応可能なバンドの組み合わせを示す第一のバンド組み合わせ情報であって第一のフォーマットで生成された第一のバンド組み合わせ情報を前記ユーザ装置から受信する受信ステップと、
前記第一のバンド組み合わせ情報で示されるバンドの組み合わせに基づいて、第二のバンド組み合わせ情報を第二のフォーマットを用いて生成する生成ステップと、
前記生成ステップにより生成された前記第二のバンド組み合わせ情報を、当該基地局とは異なる他の基地局又は交換機に送信する送信ステップと、
を有する通知方法。
【発明の詳細な説明】
【技術分野】
【０００１】
本発明は、基地局及び通知方法に関する。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。【０００３】
キャリアアグリゲーションは、ＣＣの周波数配置により図１Ａ〜Ｃに示すように３つのシナリオに分類される。図１Ａは、Ｉｎｔｒａ−ｂａｎｄ  ｃｏｎｔｉｇｕｏｕｓ  ＣＡであり、バンド内で連続するＣＣを配置するシナリオである。このシナリオは、例えば、３．５ＧＨｚ帯のような広帯域の割当てが行われる場合に適用される。図１Ｂは、Ｉｎｔｅｒ−ｂａｎｄ  ｎｏｎ−ｃｏｎｔｉｇｕｏｕｓ  ＣＡであり、異なるバンドのＣＣを複数配置するシナリオである。このシナリオは、例えば、２ＧＨｚ帯と１．５ＧＨｚ帯等の複数のキャリアを用いて通信を行う場合に適用される。図１Ｃは、Ｉｎｔｒａ−ｂａｎｄ  ｎｏｎ−ｃｏｎｔｉｇｕｏｕｓ  ＣＡであり、同じバンド内で非連続なＣＣを配置するシナリオである。このシナリオは、例えば、事業者への周波数帯域の割当てが断片的である場合等に適用される。【０００４】
一方、ＬＴＥ（ＬＴＥ−Ａｄｖａｎｃｅｄを含む）システムにおいては、ユーザ装置ＵＥは、例えばネットワークへの接続時等に、自身の能力（Ｃａｐａｂｉｌｉｔｙ）を所定のシグナリングメッセージ（ＵＥ−ＥＵＴＲＡ−Ｃａｐａｂｉｌｉｔｙ）で基地局ｅＮＢに通知することが規定されている（非特許文献１）。
【先行技術文献】
【非特許文献】
【０００５】
【非特許文献１】３ＧＰＰ  ＴＳ  ３６．３３１  Ｖ１２．６．０  （２０１５−０６）
【非特許文献２】３ＧＰＰ  ＴＳ  ３６．１０１  Ｖ１３．０．０  （２０１５−０７）
【発明の概要】
【発明が解決しようとする課題】
【０００６】
上記の能力情報の通知において、ユーザ装置ＵＥは、自身がＣＡにおいてサポートするバンドの組み合わせ（ＣＡバンドコンビネーション、ＣＡ  ｂａｎｄ  ｃｏｍｂｉｎａｔｉｏｎ）を基地局ｅＮＢに通知する。また、ユーザ装置ＵＥが複数種類のＣＡバンドコンビネーションに対応できる場合、ユーザ装置ＵＥは、対応する全てのＣＡバンドコンビネーションのパターンを基地局ｅＮＢに通知するように３ＧＰＰ  Ｒｅｌ．１０で規定されている。【０００７】
Ｒｅｌ．１０で規定される従来技術では、ユーザ装置ＵＥは、自身が対応しているＣＡバンドコンビネーションを全て通知しなければならないため、束ねるＣＣ数が増加するにつれて、通知するＣＡバンドコンビネーションの数が増加してしまう。Ｒｅｌ．１３のＬＴＥでは、より柔軟かつ高速な無線通信を実現するため、最大で３２ＣＣを束ねるＣＡが検討されている。従って従来技術がそのまま適用されると、通知すべきＣＡバンドコンビネーションの数が膨大になり、シグナリングのための信号量（情報量）も膨大になってしまうことになる。【０００８】
Ｒｅｌ．１３では、このような問題を解決するために、ユーザ装置ＵＥが、複数のＣＡバンドコンビネーションに対応している場合、一部のＣＡバンドコンビネーションを示す情報の通知を省略することで信号量を削減可能なフォーマットを新たに規定することが検討されている。また、ユーザ装置ＵＥは、基地局ｅＮＢから指示があった場合（例えば、基地局ｅＮＢがＲｅｌ．１３で規定されるフォーマットをサポートしていることが通知された場合）に限り、Ｒｅｌ．１３で規定されるフォーマットに従ってＣＡバンドコンビネーションを基地局ｅＮＢに通知し、指示がない場合はＲｅｌ．１０で規定されるフォーマットに従ってＣＡバンドコンビネーションを基地局ｅＮＢに通知するように動作することが検討されている。【０００９】
ここで、ユーザ装置ＵＥから通知されたＣＡバンドコンビネーションは、基地局ｅＮＢ及び交換機ＭＭＥにて記憶され、ハンドオーバー（ＨＯ：Hand Over）が行われる場合に、ユーザ装置ＵＥが在圏していた基地局ｅＮＢからターゲット先の基地局ｅＮＢに通知（転送）される。また、ユーザ装置ＵＥがＲＲＣ＿ＩＤＬＥ状態に遷移し、セル・リセレクション（Cell reselection）で他の基地局ｅＮＢに移動してＲＲＣ  ＣＯＮＮＥＣＴＥＤ状態に遷移した場合、交換機ＭＭＥから当該他の基地局ｅＮＢ（ターゲット先の基地局ｅＮＢ）にＣＡバンドコンビネーションが通知（転送）される。【００１０】
しかしながら、無線ネットワーク内においては、必ずしも全ての基地局ｅＮＢがＲｅｌ．１３に対応しているとは限らない。つまり、ターゲット先の基地局ｅＮＢは、Ｒｅｌ．１３で規定されるフォーマットを解釈できない可能性がある。この場合、ターゲット先の基地局ｅＮＢは、ユーザ装置ＵＥが対応しているＣＡバンドコンビネーションを認識することができず、ＣＡ制御を行うことができなくなる可能性がある。【００１１】
開示の技術は上記に鑑みてなされたものであって、ユーザ装置で対応可能なＣＡバンドコンビネーションを各基地局に把握させることが可能な技術を提供することを目的とする。
【課題を解決するための手段】
【００１２】
開示の技術の基地局は、キャリアアグリゲーションに対応した無線通信システムにおける基地局であって、ユーザ装置がキャリアアグリゲーションで対応可能なバンドの組み合わせを示す第一のバンド組み合わせ情報であって第一のフォーマットで生成された第一のバンド組み合わせ情報を前記ユーザ装置から受信する受信部と、前記第一のバンド組み合わせ情報で示されるバンドの組み合わせに基づいて、第二のバンド組み合わせ情報を第二のフォーマットを用いて生成する生成部と、前記生成部により生成された前記第二のバンド組み合わせ情報を、当該基地局とは異なる他の基地局又は交換機に送信する送信部と、を有する。
【発明の効果】
【００１３】
開示の技術によれば、ユーザ装置で対応可能なＣＡバンドコンビネーションを各基地局に把握させることが可能な技術が提供される。
【図面の簡単な説明】
【００１４】
【図１Ａ】キャリアアグリゲーションの周波数配置例を示す図である。
【図１Ｂ】キャリアアグリゲーションの周波数配置例を示す図である。
【図１Ｃ】キャリアアグリゲーションの周波数配置例を示す図である。
【図２】ＣＡバンドコンビネーション情報（Ｒｅｌ．１０）のフォーマットを説明するための図である。
【図３Ａ】ＣＡバンドコンビネーションにおける各種パラメータを説明するための図である。
【図３Ｂ】ＣＡバンドコンビネーションにおける各種パラメータを説明するための図である。
【図４】ＣＡ−ＢａｎｄｗｉｄｔｈＣｌａｓｓを示す表である。
【図５Ａ】ＣＡバンドコンビネーション情報（Ｒｅｌ．１０）の具体例を示す図である。
【図５Ｂ】ＣＡバンドコンビネーション情報（Ｒｅｌ．１０）の具体例を示す図である。
【図６】ユーザ装置ＵＥが最大で３ＤＬ／３ＵＬ  ＣＡにまで対応している場合にＣＡバンドコンビネーションとして通知する情報を示す図である。
【図７】ＣＡバンドコンビネーション毎に通知するＭＩＭＯレイヤ数の例を示す図である。
【図８】ＣＡバンドコンビネーション情報（Ｒｅｌ．１３）のフォーマットの一例を示す図である。
【図９】ＣＡバンドコンビネーション情報（Ｒｅｌ．１３）のフォーマットの一例を示す図である。
【図１０】ＣＡバンドコンビネーション情報（Ｒｅｌ．１３）を生成する処理手順の説明である。
【図１１】実施の形態に係る無線通信システムの構成例を示す図である。
【図１２】実施の形態に係る基地局のハードウェア構成の一例を示す図である。
【図１３】実施の形態に係る交換機のハードウェア構成の一例を示す図である。
【図１４】実施の形態に係る基地局の機能構成の一例を示す図である。
【図１５】実施の形態に係る交換機の機能構成の一例を示す図である。
【図１６】実施の形態に係る無線通信システムが行う処理手順を示すシーケンス図である。
【図１７】実施の形態に係る無線通信システムが行う処理手順を示すシーケンス図である。
【図１８】実施の形態に係る無線通信システムが行う処理手順を示すシーケンス図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、ＣＡを行う他の無線方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１６】
また、以下の説明において、任意のバンドの組み合わせを意図する場合は主に「ＣＡバンドコンビネーション」、「フォールバックバンドコンビネーション」を用い、任意のバンドの組み合わせを示す情報を意図する場合は主に「ＣＡバンドコンビネーションを示す情報」、「フォールバックバンドコンビネーションを示す情報」等を用いる。フォールバックバンドコンビネーションについては後述する。また、装置間で送受信される情報を意図する場合は「ＣＡバンドコンビネーション情報」を用いる。
【００１７】
＜Ｒｅｌ．１０におけるＣＡバンドコンビネーション情報について＞
Ｒｅｌ．１０で規定されているＣＡバンドコンビネーション情報のフォーマット（SupportedBandCombination-r10）を図２に示す。図２に示すように、当該情報にて、ＵＬ／ＤＬ個別にＣＡバンドコンビネーションごとに各種パラメータを通知可能であり、更に、ＣＡバンドコンビネーションにおけるバンドごとに各種パラメータを通知可能である。図３Ａに、ＣＡバンドコンビネーションごとに設定可能なパラメータの一例を示し、図３Ｂに、ＣＡバンドコンビネーションにおけるバンドごとに通知可能なパラメータの一例を示す。例えば「ｄｃ−Ｓｕｐｐｏｒｔ」は、ユーザ装置がＤｕａｌ  Ｃｏｎｎｅｃｔｉｂｉｔｙ（以下、「ＤＣ」という）に対応していることを示すパラメータである。「ｓｕｐｐｏｒｔＣＳＩ−Ｐｒｏｃ」は、ユーザ装置が対応可能なＣＳＩ（Channel State Information）プロセス数を示すパラメータである。「ＣＡ  ｂａｎｄｗｉｄｔｈｃｌａｓｓ」は、ユーザ装置が対応可能なバンド帯域幅クラス（ＵＬ／ＤＬ毎）を示すパラメータである。ｓｕｐｐｏｒｔｅｄＭＩＭＯ−Ｃａｐａｂｉｌｉｔｙは、ユーザ装置が対応可能なＭＩＭＯレイヤ数（ＵＬ／ＤＬ毎）を示すパラメータである。
【００１８】
ＣＳＩプロセス数とはユーザ装置内でＣＳＩを算出する際に動作可能な最大プロセス数であり、ＣｏＭＰ（Coordinated Multi-point）のためにＣＳＩを基地局に報告する際に用いられる。
【００１９】
ＣＡ  ｂａｎｄｗｉｄｔｈｃｌａｓｓとは、図４の表（非特許文献２）により定義されるクラスであり、周波数バンド毎に、ユーザ装置ＵＥでアグリゲート可能な帯域幅、ＣＣ数を示す。例えば、周波数帯２ＧＨｚ（Ｂａｎｄ  １）と１．５ＧＨｚ（Ｂａｎｄ  ２１）で各バンドの最大ＣＣ数が１、アグリゲート可能な最大帯域幅が１００ＲＢであり、かつ２ＣＣのｉｎｔｅｒ−ｂａｎｄ  ＣＡの場合、１Ａ＿２１Ａと標準仕様上に記載される。
【００２０】
図５Ａ及び図５Ｂに、Ｒｅｌ．１０で規定されているＣＡバンドコンビネーション情報の具体例を示す。図５Ａ及び図５Ｂに示す例は、２Ｇ＋１．５Ｇの下りのみのＣＡであり、下り２ｘ２ＭＩＭＯを行う能力を通知する例である。図５Ａ及び図５Ｂに示す例では、２バンドで下りＣＡを行うパターンから、１．５Ｇ単独で使用するパターンまで４種類のパターンが通知されている。
【００２１】
ユーザ装置ＵＥが最大で３ＤＬ／３ＵＬ  ＣＡにまで対応している場合に通知するＣＡバンドコンビネーションを図６に示す。なお、図５Ａ及び図５Ｂに示す４つのＣＡバンドコンビネーション（BandCombinationParameters-r10）は、上から順に、それぞれ図６の「Ｎｏ．１３」、「Ｎｏ．１４」、「Ｎｏ．１８」、「Ｎｏ．１９」に対応している。
【００２２】
ここで、最大のＣＡ能力である３ＤＬ／３ＵＬよりも低い（ＤＬ、ＵＬのいずれか又は両方でＣＣ数が少ない）バンドコンビネーションはフォールバックバンドコンビネーション（Fallback Band Combination）と呼ばれる。図６の例では、ユーザ装置ＵＥは、３ＤＬ／３ＵＬとともに、その全てのフォールバックバンドコンビネーションに対応しているため、合計で１９個のＣＡバンドコンビネーションを基地局ｅＮＢに通知する。なお、図６の各ＣＡバンドコンビネーションにおける各バンドに示されている「Ａ」は、当該バンドにおけるＣＡ  ｂａｎｄｗｉｄｔｈｃｌａｓｓを意味している。なお、ＣＡをしない場合（Ｎｏｎ−ＣＡ、Ｎｏ．１７−１９）も、ＣＡのサブセットとして通知することが規定されている。また、上述のようにＣＡバンドコンビネーションでは各種パラメータを通知することができる。図７は、ＭＩＭＯレイヤ数に関するパラメータの通知例を示しており、ＣＡコンビネーションごとの各バンドでユーザ装置が対応可能なＭＩＭＯレイヤ数を示している。
【００２３】
＜Ｒｅｌ．１３で検討されているＣＡバンドコンビネーション情報について＞
Ｒｅｌ．１３で検討されているＣＡバンドコンビネーション情報のフォーマット（SupportedBandCombination-r13）について説明する。
【００２４】
Ｒｅｌ．１３では、ユーザ装置ＵＥが、あるＣＡバンドコンビネーションとそのフォールバックバンドコンビネーションの全てに対応している場合、当該ユーザ装置ＵＥはフォールバックバンドコンビネーションを示す情報の通知を省略し、最上位のＣＡバンドコンビネーションを示す情報のみをＣＡバンドコンビネーション情報に含めて通知する。最上位のＣＡバンドコンビネーションとは、ユーザ装置ＵＥが対応可能な全てのＣＡバンドコンビネーションのうち、ＵＬ及びＤＬの両方において組み合わせるＣＣ数が最も多いＣＡバンドコンビネーションを意味する。例えば、ユーザ装置ＵＥが図６に示す全てのＣＡバンドコンビネーションに対応している場合、Ｎｏ．１に示すＣＡバンドコンビネーションが最上位のＣＡバンドコンビネーションに該当する。
【００２５】
基地局ｅＮＢは、ユーザ装置ＵＥから、「最上位のＣＡバンドコンビネーションを示す情報」のみを含むＣＡバンドコンビネーション情報を受信した場合、当該ユーザ装置ＵＥは、受信したＣＡバンドコンビネーションとともに、そのフォールバックバンドコンビネーションについても全て対応していると判断する。また、基地局ｅＮＢは、各フォールバックバンドコンビネーションにおける各種パラメータは、最上位のＣＡバンドコンビネーションにおける各種パラメータと同一であると判断する。
【００２６】
なお、ユーザ装置ＵＥがＩｎｔｒａ−ｂａｎｄ  ｃｏｎｔｉｇｕｏｕｓＣＡをサポートしている場合において、ユーザ装置ＵＥが上位のＣＡ  ｂａｎｄｗｉｄｔｈｃｌａｓｓに対応している場合、ユーザ装置ＵＥは下位ＣＡ  ｂａｎｄｗｉｄｔｈｃｌａｓｓにも全て対応していると判断される。具体的には、ユーザ装置ＵＥが所定の周波数帯において「Ａ〜Ｆ」のＣＡ  ｂａｎｄｗｉｄｔｈｃｌａｓｓにすべて対応している場合、ユーザ装置ＵＥは、ＣＡバンドコンビネーションにおける所定のバンドに関するＣＡ  ｂａｎｄｗｉｄｔｈｃｌａｓｓで「Ｆ」を通知する。基地局ｅＮＢは、当該ユーザ装置ＵＥは、所定のバンドにおいて、「Ａ」〜「Ｆ」の全てのＣＡ  ｂａｎｄｗｉｄｔｈｃｌａｓｓに対応していると判断する。
【００２７】
続いて、ユーザ装置ＵＥが、ある最上位のＣＡバンドコンビネーションに対応するが、その全てのフォールバックバンドコンビネーションのうち一部のフォールバックバンドコンビネーションには対応してない場合、ユーザ装置ＵＥは、最上位のＣＡバンドコンビネーションを示す情報と、対応していない（非対応の）フォールバックバンドコンビネーションを示す情報とをＣＡバンドコンビネーション情報に含めて基地局ｅＮＢに通知する。
【００２８】
基地局ｅＮＢは、ユーザ装置ＵＥから、「最上位のＣＡバンドコンビネーションを示す情報」と「非対応のフォールバックバンドコンビネーションを示す情報」とを含むＣＡバンドコンビネーション情報を受信した場合、基地局ｅＮＢは、受信した最上位のＣＡバンドコンビネーションと、その全てのフォールバックバンドコンビネーションのうち、非対応のフォールバックバンドコンビネーション以外のフォールバックバンドコンビネーションについては全て対応していると判断する。
【００２９】
更に、一部のフォールバックバンドコンビネーションにおける各種パラメータが、最上位のＣＡバンドコンビネーションにおける各種パラメータと異なる場合（すなわち、最上位のＣＡバンドコンビネーションとの間でパラメータに差分がある場合）、ユーザ装置ＵＥは、「各種パラメータのうち最上位のＣＡバンドコンビネーションと異なるパラメータのみが設定されたフォールバックバンドコンビネーションの情報」をＣＡバンドコンビネーション情報に含めて通知するようにする。なお、「各種パラメータのうち最上位のＣＡバンドコンビネーションと異なるパラメータのみが設定されたフォールバックバンドコンビネーションの情報」を受信した基地局ｅＮＢは、当該フォールバックバンドコンビネーションにおいて通知されないパラメータについては、最上位のＣＡバンドコンビネーションにおけるパラメータと同一であると判断するようにする。
【００３０】
また、ユーザ装置ＵＥは、自身が対応するＣＡバンドコンビネーションを、基地局ｅＮＢから指示された複数のバンドでフィルタして通知することもできる。例えば、基地局ｅＮＢから８００Ｍ及び１．５Ｇで組み合わせ可能なＣＡバンドコンビネーションのみを通知するように指示された場合、ユーザ装置ＵＥは、８００Ｍ及び１．５Ｇで組み合わせ可能なＣＡバンドコンビネーションの中で、最上位のＣＡバンドコンビネーション、非対応のフォールバックバンドコンビネーション、パラメータ差分があるフォールバックバンドコンビネーションを通知する。
【００３１】
ＣＡバンドコンビネーション情報を受信した基地局ｅＮＢは、その後、例えば、ユーザ装置ＵＥのＣＣ毎の通信品質等に基づいて、ユーザ装置ＵＥがサポートするＣＡコンビネーションの中からどのＣＡコンビネーションを適用するかを決定し、決定したＣＡコンビネーションをユーザ装置ＵＥに通知する（コンフィギュアする）等の動作を行う。
【００３２】
このような動作を行うために、基地局ｅＮＢは、例えば、最上位のＣＡバンドコンビネーション毎に、当該ＣＡバンドコンビネーションとそのフォールバックバンドコンビネーションを含むテーブル（例：図６）を保持する。ここで、最上位のＣＡバンドコンビネーション及びそのフォールバックバンドコンビネーションは、ユーザ装置ＵＥと基地局ｅＮＢ間で一意に定まるようにしておく。例えば、図６に示す最上位のＣＡコンビネーションＮｏ．１のフォールバックバンドコンビネーション（Ｎｏ．２〜Ｎｏ．１９）は、無線通信システムにおいて一意に定まり、基地局ｅＮＢは、最上位のＣＡコンビネーションＮｏ．１に対応するフォールバックバンドコンビネーション（Ｎｏ．２〜Ｎｏ．１９）を把握している。
【００３３】
図８及び図９に、Ｒｅｌ．１３で検討されているＣＡバンドコンビネーション情報のフォーマットの一例を示す。「最上位のＣＡバンドコンビネーションを示す情報」は、図８及び図９に示すように「ＢａｎｄＣｏｍｂｉｎａｔｉｏｎＰａｒａｍｅｔｅｒｓＰａｒｅｎｔ」と呼ばれてもよい。また、「非対応のフォールバックバンドコンビネーションを示す情報」は、「ｎｏｎ−ＳｕｐｐｏｒｔｅｄＢａｎｄＣｏｍｂｉｎａｔｉｏｎＣｈｉｌｄ」と呼ばれてもよい。また、「各種パラメータのうち最上位のＣＡバンドコンビネーションと異なるパラメータのみが設定されたフォールバックバンドコンビネーションの情報」は、「ｓｕｐｐｏｒｔｅｄＢａｎｄＣｏｍｂｉｎａｔｉｏｎＣｈｉｌｄＥｘｔ」と呼ばれてもよい。図１０は、Ｒｅｌ．１３で検討されているＣＡバンドコンビネーション情報を生成する処理手順の説明である。
【００３４】
以上、Ｒｅｌ．１３で検討されているＣＡバンドコンビネーション情報について説明したが、Ｒｅｌ．１３で検討されているＣＡバンドコンビネーション情報には、最低限「最上位のＣＡバンドコンビネーションを示す情報」が含まれることになる。また、ユーザ装置ＵＥの能力に応じて「非対応のフォールバックバンドコンビネーションを示す情報」又は／及び「各種パラメータのうち最上位のＣＡバンドコンビネーションと異なるパラメータのみが設定されたフォールバックバンドコンビネーションの情報」が含まれることになる。
【００３５】
＜システム全体構成＞
図１１は、実施の形態に係る無線通信システムの構成例を示す図である。本実施の形態に係る無線通信システムは、ユーザ装置ＵＥ、基地局ｅＮＢ１、基地局ｅＮＢ２及び交換機ＭＭＥを含む。図１１には、ユーザ装置ＵＥが１つ示されているが、これは例であり、複数であってもよい。以下の説明において、基地局ｅＮＢ１及び基地局ｅＮＢ２を区別しない場合は「基地局ｅＮＢ」と記載する。
【００３６】
ユーザ装置ＵＥ、基地局ｅＮＢはＣＡを行うことが可能である。また、ユーザ装置ＵＥは、複数の基地局ｅＮＢと同時に通信を行う能力（ＤＣ）を備えていてもよい。
【００３７】
基地局ｅＮＢ１及び基地局ｅＮＢ２は、Ｘ２インタフェースで接続されており、Ｘ２ＡＰ（X2 application protocol）を用いて相互に情報を送受信することが可能である。交換機ＭＭＥは、基地局ｅＮＢ１及び基地局ｅＮＢ２とＳ１インタフェースで接続されており、Ｓ１ＡＰ（S1 application protocol）を用いて相互に情報を送受信することが可能である。
【００３８】
本実施の形態では、基地局ｅＮＢは、ユーザ装置ＵＥからＲｅｌ．１３で検討されているフォーマットで生成されたＣＡバンドコンビネーション情報（以下、「新たなＣＡバンドコンビネーション情報」と呼ぶ）を受信した場合、新たなＣＡバンドコンビネーション情報で示される複数のＣＡバンドコンビネーションからＲｅｌ．１０で規定されているフォーマットで生成されたＣＡバンドコンビネーション情報（以下、「従来のＣＡバンドコンビネーション情報」と呼ぶ）を生成して、交換機ＭＭＥ及びターゲット先の他の基地局ｅＮＢに送信するようにする。なお、基地局ｅＮＢは、従来のＣＡバンドコンビネーション情報を送信する際の信号量を削減するため、新たなＣＡバンドコンビネーション情報で示される複数のＣＡバンドコンビネーションのうち、少なくとも１つ以上のＣＡバンドコンビネーションを選択し、選択したＣＡバンドコンビネーションを示す従来のＣＡバンドコンビネーション情報を生成するようにしてもよい。
【００３９】
他の基地局ｅＮＢが新たなＣＡバンドコンビネーション情報を解釈できず、かつ従来のＣＡバンドコンビネーション情報を取得していない場合、当該他の基地局ｅＮＢがどのように動作するのかは３ＧＰＰの仕様で規定されていない。例えば、ターゲット先の他の基地局ｅＮＢは、ユーザ装置ＵＥからＣＡバンドコンビネーション情報を取得するように動作するかもしれないし、ユーザ装置ＵＥはＣＡに対応していないと解釈するかもしれない。仮に前者である場合はシグナリングメッセージの増加を招くことなり、後者である場合はＣＡ制御を行うことができなくなる。
【００４０】
そこで、本実施の形態では、交換機ＭＭＥ及びターゲット先の他の基地局ｅＮＢに対して従来のＣＡバンドコンビネーション情報を送信することで、ターゲット先の他の基地局ｅＮＢが新たなＣＡバンドコンビネーション情報を解釈できない場合であっても、ユーザ装置で対応可能なＣＡバンドコンビネーションを把握させることを可能にしている。
【００４１】
＜ハードウェア構成＞
（基地局）
図１２は、実施の形態に係る基地局のハードウェア構成の一例を示す図である。図１２に示すように、基地局は、無線信号に関する処理を行うＲＥ（Radio Equipment）モジュール１０と、ベースバンド信号処理を行うＢＢ（Base Band）処理モジュール１１と、上位レイヤ等の処理を行う装置制御モジュール１２と、ネットワークと接続するためのインタフェースである通信ＩＦ（Interface）１３とを有する。
【００４２】
ＲＥモジュール１０は、ＢＢ処理モジュール１１から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール１１に渡す。
【００４３】
ＢＢ処理モジュール１１は、ＩＰパケットとデジタルベースバンド信号とを相互に変換する処理を行う。ＤＳＰ（Digital Signal Processor）１１−１は、ＢＢ処理モジュール１１における信号処理を行うプロセッサである。メモリ１１−２は、ＤＳＰ１１−１のワークエリアとして使用される。
【００４４】
装置制御モジュール１２は、ＩＰレイヤのプロトコル処理、ＯＡＭ（Operation and Maintenance）処理等を行う。プロセッサ１２−１は、装置制御モジュール１２が行う処理を行うプロセッサである。メモリ１２−２は、プロセッサ１２−１のワークエリアとして使用される。補助記憶装置１２−３は、例えばＨＤＤ等であり、基地局ｅＮＢ自身が動作するための各種設定情報等が格納される。
【００４５】
（交換機）
図１３は、実施の形態に係る交換機のハードウェア構成の一例を示す図である。図１３に示すように、交換機ＭＭＥは、交換機ＭＭＥ全体の動作を制御するＣＰＵ（Central Processing Unit）２０、ＣＰＵ２０のワークエリアとして使用されるメモリ２１、基地局ｅＮＢ及び他の交換機と通信する通信ＩＦ２２、交換機ＭＭＥで用いられる各種データ及び交換機ＭＭＥが動作するためのプログラムを格納する補助記憶装置２３、キーボード等の入力装置２４、及び各種情報を表示する出力装置２５を有する。
【００４６】
＜機能構成＞
（基地局）
図１４は、実施の形態に係る基地局の機能構成の一例を示す図である。図１４に示すように、基地局ｅＮＢは、信号送信部１０１、信号受信部１０２、格納部１０３、及び、生成部１０４を有する。なお、図１４は、基地局ｅＮＢにおいて本発明の実施の形態に特に関連する機能部のみを示すものであり、少なくともＬＴＥに準拠した動作を行うための図示しない機能も有するものである。また、図１４に示す機能構成は一例に過ぎない。本実施の形態に係る動作を実行できるのであれば、機能区分及び機能部の名称はどのようなものでもよい。また、これら各部は、基地局ｅＮＢにインストールされた１以上のプログラムが、ＤＳＰ１−１又はプロセッサ１２−１に実行させる処理により実現され得る。
【００４７】
信号送信部１０１は、基地局ｅＮＢから送信されるべき上位のレイヤの信号から、物理レイヤの各種信号を生成し、無線送信する機能を含む。また、信号送信部１０１は、Ｘ２インタフェース及びＳ１インタフェースを用いて、他の基地局ｅＮＢ及び交換機ＭＭＥに各種信号を送信する機能を有する。また、生成部１０４で生成されたＣＡバンドコンビネーション情報を他の基地局ｅＮＢ又は交換機ＭＭＥに送信する機能を有する。
【００４８】
信号受信部１０２は、ユーザ装置ＵＥから各種の無線信号を受信し、受信した物理レイヤの信号からより上位のレイヤの信号を取得する機能を含む。また、信号受信部１０２は、Ｘ２インタフェース及びＳ１インタフェースを用いて、他の基地局ｅＮＢ及び交換機ＭＭＥから各種信号を受信する機能を有する。また、信号受信部１０２は、ユーザ装置ＵＥ、他の基地局ｅＮＢ又は交換機ＭＭＥから、ＣＡバンドコンビネーション情報を受信する機能を有する。
【００４９】
格納部１０３は、ユーザ装置ＵＥから受信したＣＡバンドコンビネーション情報を格納する機能を有する。また、格納部１０３は、他の基地局ｅＮＢ及び交換機ＭＭＥから受信したＣＡバンドコンビネーション情報を格納する機能を有する。
【００５０】
生成部１０４は、Ｒｅｌ．１０で規定されているフォーマットに従ってＣＡバンドコンビネーション情報を生成する機能を有する。なお、生成部１０４は、格納部１０３に格納されているＣＡバンドコンビネーション情報で示されるＣＡバンドコンビネーションのうち少なくとも１つ以上のＣＡバンドコンビネーションを選択し、Ｒｅｌ．１０で規定されているフォーマットに従ってＣＡバンドコンビネーション情報を生成するようにしてもよい。
【００５１】
（交換機）
図１５は、実施の形態に係る交換機の機能構成の一例を示す図である。図１５に示すように、交換機ＭＭＥは、信号送信部２０１、信号受信部２０２、及び格納部２０３を有する。なお、図１５は、交換機ＭＭＥにおいて本発明の実施の形態に特に関連する機能部のみを示すものであり、少なくともＬＴＥに準拠した動作を行うための図示しない機能も有するものである。また、図１５に示す機能構成は一例に過ぎない。本実施の形態に係る動作を実行できるのであれば、機能区分及び機能部の名称はどのようなものでもよい。また、これら各部は、交換機ＭＭＥにインストールされた１以上のプログラムが、ＣＰＵ２０に実行させる処理により実現され得る。
【００５２】
信号送信部２０１は、Ｓ１インタフェースを用いて基地局ｅＮＢに各種信号を送信する機能を有する。また、格納部２０３に格納されているＣＡバンドコンビネーション情報を基地局ｅＮＢに送信する機能を有する。
【００５３】
信号受信部２０２は、Ｓ１インタフェースを用いて基地局ｅＮＢから各種信号を受信する機能を有する。また、信号受信部１０２は、基地局ｅＮＢからＣＡバンドコンビネーション情報を受信して格納部２０３に格納する機能を有する。
【００５４】
格納部２０３は、基地局ｅＮＢから受信したＣＡバンドコンビネーション情報を格納する機能を有する。
【００５５】
＜処理手順＞
（処理シーケンス）
図１６は、実施の形態に係る無線通信システムが行う処理手順を示すシーケンス図である。図１６を用いて、基地局ｅＮＢが、ユーザ装置ＵＥから取得した新たなＣＡバンドコンビネーション情報に基づいて、従来のＣＡバンドコンビネーション情報を生成して交換機ＭＭＥに送信する際の処理手順について説明する。なお、図１６に示す処理手順は、基地局ｅＮＢがユーザ装置ＵＥの能力（UE Capability）を取得する際に行われる処理手順であり、例えばアタッチ時などに起動される。
【００５６】
ステップＳ１０１で、基地局ｅＮＢの信号送信部１０１は、ユーザ装置ＵＥに能力情報要求信号を送信する。能力情報要求信号は、例えば、「ＵＥＣａｐａｂｉｌｉｔｙＥｎｑｕｉｒｙメッセージ」でもよい。なお、信号送信部１０１は、基地局ｅＮＢ自身が新たなＣＡバンドコンビネーション情報に対応している場合、当該能力情報要求信号に、新たなＣＡバンドコンビネーション情報を要求することを示す情報を含めるようにする。当該情報は、例えば、「ｅｎｈａｎｃｅｄＣＡｃａｐａｂｉｌｉｔｙＲｅｑｕｅｓｔ」と呼ばれてもよい。なお、基地局ｅＮＢの信号送信部１０１は、基地局ｅＮＢがサポートしている複数のバンドを示す情報を能力情報要求信号に含めてもよい。基地局ｅＮＢがサポートしている複数のバンドを示す情報とは、例えば、「ｒｅｑｕｅｓｔｅｄＦｒｅｑｕｅｎｃｙＢａｎｄｓ」と呼ばれる。
【００５７】
ステップＳ１０２で、ユーザ装置ＵＥは、新たなＣＡバンドコンビネーション情報を含む能力情報通知信号を基地局ｅＮＢに送信する。能力情報通知信号は、例えば、「ＵＥＣａｐａｂｉｌｉｔｙＩｎｆｏｒｍａｔｉｏｎメッセージ」でもよい。基地局ｅＮＢの信号受信部１０２は、受信した能力情報通知信号に含まれる新たなＣＡバンドコンビネーション情報を格納部１０３に格納する。
【００５８】
ステップＳ１０３で、基地局ｅＮＢの生成部１０４は、格納部１０３に格納されている新たなＣＡバンドコンビネーションから、従来のＣＡバンドコンビネーション情報を生成する。ここで、生成部１０４は、格納部１０３に格納されている新たなＣＡバンドコンビネーション情報で示される、ユーザ装置ＵＥが対応している全てのＣＡバンドコンビネーションのうち、少なくとも１つ以上のＣＡバンドコンビネーションを選択し、従来のＣＡバンドコンビネーション情報を生成するようにしてもよい。なお、具体的な生成方法については後述する。
【００５９】
ステップＳ１０４で、基地局ｅＮＢの信号送信部１０１は、生成部１０４で生成された従来のＣＡバンドコンビネーション情報を含む能力情報通知信号を交換機ＭＭＥに送信する。なお、能力情報通知信号は、例えば、Ｓ１ＡＰで規定される「ＵＥ  Ｃａｐａｂｉｌｉｔｙ  Ｉｎｆｏ  Ｉｎｄｉｃａｔｉｏｎメッセージ」でもよい。交換機ＭＭＥの信号受信部２０２は、受信した能力情報通知信号に含まれる従来のＣＡバンドコンビネーション情報を格納部２０３に格納する。
【００６０】
なお、ステップＳ１０４で、基地局ｅＮＢの信号送信部１０１は、生成部１０４で生成された従来のＣＡバンドコンビネーション情報と、ステップＳ１０２の処理手順で受信した新たなＣＡバンドコンビネーション情報との両方を含む能力情報通知信号を交換機ＭＭＥに送信するようにしてもよい。交換機ＭＭＥの信号受信部２０２は、受信した能力情報通知信号に含まれる従来のＣＡバンドコンビネーション情報と新たなＣＡバンドコンビネーション情報とを格納部２０３に格納する。
【００６１】
図１７は、実施の形態に係る無線通信システムが行う処理手順を示すシーケンス図である。図１７を用いて、基地局ｅＮＢ１が、ユーザ装置ＵＥから取得した新たなＣＡバンドコンビネーションに基づいて、従来のＣＡバンドコンビネーション情報を生成して他の基地局ｅＮＢ２に送信する際の処理手順について説明する。なお、図１７に示す処理手順は、例えば、ＲＲＣ  Ｃｏｎｎｅｃｔｅｄ状態のユーザ装置ＵＥがハンドオーバー処理を行う際に行われる処理手順である。なお、図１７に示すシーケンスが行われる前に、図１６のステップＳ１０１及びステップＳ１０２の処理手順が行われ、基地局ｅＮＢ１の格納部１０３に新たなＣＡバンドコンビネーション情報が格納されている前提とする。
【００６２】
ステップＳ２０１で、基地局ｅＮＢ１は、ユーザ装置ＵＥから受信した受信品質情報（Measurement Report）に基づき、ユーザ装置ＵＥを基地局ｅＮＢ２にハンドオーバーさせることを決定する。
【００６３】
ステップＳ２０２で、基地局ｅＮＢ１の生成部１０４は、格納部１０３に格納されている新たなＣＡバンドコンビネーションから、従来のＣＡバンドコンビネーション情報を生成する。ここで、生成部１０４は、格納部１０３に格納されている新たなＣＡバンドコンビネーション情報で示される、ユーザ装置ＵＥが対応している全てのＣＡバンドコンビネーションのうち、少なくとも１つ以上のＣＡバンドコンビネーションを選択し、従来のＣＡバンドコンビネーション情報を生成するようにしてもよい。具体的な生成方法については後述する。
【００６４】
ステップＳ２０３で、基地局ｅＮＢ１の信号送信部１０１は、生成部１０４で生成された従来のＣＡバンドコンビネーション情報を含むハンドオーバー要求信号を基地局ｅＮＢ２に送信する。なお、ハンドオーバー要求信号は、例えば、Ｘ２ＡＰで規定される「Ｈａｎｄｏｖｅｒ  Ｒｅｑｕｅｓｔメッセージ」でもよい。基地局ｅＮＢ２の信号受信部１０２は、受信したハンドオーバー要求信号に含まれる従来のＣＡバンドコンビネーション情報を格納部１０３に格納する。
【００６５】
なお、ステップＳ２０３で、基地局ｅＮＢ１の信号送信部１０１は、生成部１０４で生成された従来のＣＡバンドコンビネーション情報と、格納部１０３に格納されている新たなＣＡバンドコンビネーション情報との両方を含むハンドオーバー要求信号を基地局ｅＮＢ２に送信するようにしてもよい。基地局ｅＮＢ２の信号受信部１０２は、受信したハンドオーバー要求信号に含まれる従来のＣＡバンドコンビネーション情報と新たなＣＡバンドコンビネーション情報とを格納部１０３に格納する。なお、基地局ｅＮＢ２が新たなＣＡバンドコンビネーション情報に対応していない場合、基地局ｅＮＢ２は新たなＣＡバンドコンビネーション情報を解釈できず、従来のＣＡバンドコンビネーション情報のみを格納部１０３に格納することになる。
【００６６】
また、基地局ｅＮＢ１の信号送信部１０１は、基地局ｅＮＢ２が新たなＣＡバンドコンビネーション情報に対応していることを予め把握している場合、ステップＳ２０３の処理手順において、新たなＣＡバンドコンビネーション情報のみを基地局ｅＮＢ２に送信するようにしてもよい。同様に、基地局ｅＮＢ１の信号送信部１０１は、基地局ｅＮＢ２が従来のＣＡバンドコンビネーション情報にのみ対応していることを予め把握している場合、ステップＳ２０３の処理手順において、従来のＣＡバンドコンビネーション情報のみを基地局ｅＮＢ２に送信するようにしてもよい。
【００６７】
図１８は、実施の形態に係る無線通信システムが行う処理手順を示すシーケンス図である。図１８に示すシーケンスは、例えば、ＲＲＣ  Ｉｄｌｅのユーザ装置ＵＥが移動先の基地局ｅＮＢに接続してＲＲＣ  Ｃｏｎｎｅｃｔｅｄ状態に移行しようとする場合、交換機ＭＭＥを跨ぐようなハンドオーバーが行われる場合など、交換機ＭＭＥから基地局ｅＮＢにユーザ装置ＵＥの能力情報を通知する必要がある場合に行われる。なお、図１８に示すシーケンスが行われる前に、図１６のステップＳ１０４の処理手順が行われ、交換機ＭＭＥの格納部２０３にＣＡバンドコンビネーション情報（従来のＣＡバンドコンビネーション情報、又は、従来のＣＡバンドコンビネーション情報と新たなＣＡバンドコンビネーション情報）が格納されている前提とする。
【００６８】
ステップＳ３０１で、交換機ＭＭＥの信号送信部２０１は、格納部２０３に格納されているＣＡバンドコンビネーション情報（従来のＣＡバンドコンビネーション情報、又は、従来のＣＡバンドコンビネーション情報と新たなＣＡバンドコンビネーション情報）を含む能力情報通知信号を基地局ｅＮＢに送信する。能力情報通知信号は、例えば、Ｓ１ＡＰで規定される「ＩＮＩＴＩＡＬ  ＣＯＮＴＥＸＴ  ＳＥＴＵＰ  ＲＥＱＵＥＳＴメッセージ」でもよい。基地局ｅＮＢの信号受信部１０２は、受信した能力情報通知信号に含まれるＣＡバンドコンビネーション情報を格納部１０３に格納する。なお、基地局ｅＮＢが新たなＣＡバンドコンビネーション情報に対応していない場合、基地局ｅＮＢは新たなＣＡバンドコンビネーション情報を解釈できず、従来のＣＡバンドコンビネーション情報のみを格納部１０３に格納することになる。
【００６９】
（従来のＣＡバンドコンビネーション情報の生成方法）
続いて、図１６のステップＳ１０３及び図１７のステップＳ２０２の処理手順の具体例を説明する。
【００７０】
［生成方法１］
生成部１０４は、ユーザ装置ＵＥが対応している全てのＣＡバンドコンビネーションのうち、２ＤＬ／１ＵＬのＣＡバンドコンビネーションに該当する全てのＣＡバンドコンビネーションを選択してＣＡバンドコンビネーション情報を生成する。例えば、ユーザ装置ＵＥが対応している全てのＣＡバンドコンビネーションが図６に示すＣＡバンドコンビネーションであった場合、生成部１０４は、Ｎｏ．１１〜Ｎｏ．１６のＣＡバンドコンビネーションを、従来のＣＡバンドコンビネーション情報に含めるようにする。
【００７１】
［生成方法２］
生成部１０４は、ユーザ装置ＵＥが対応している全てのＣＡバンドコンビネーションのうち、無線通信ネットワーク全体で対応している周波数バンド内で２ＤＬ／１ＵＬのＣＡバンドコンビネーションに該当する全てのＣＡバンドコンビネーションを選択してＣＡバンドコンビネーション情報を生成する。例えば、ユーザ装置ＵＥが対応している全てのＣＡバンドコンビネーションが図６に示すＣＡバンドコンビネーションであり、無線通信ネットワーク全体で対応している周波数バンドが８００Ｍ（１９Ａ）及び２Ｇ（１Ａ）であった場合、生成部１０４は、Ｎｏ．１５及びＮｏ．１６のＣＡバンドコンビネーションを、従来のＣＡバンドコンビネーション情報に含めるようにする。なお、生成部１０４が、無線通信ネットワーク全体で対応している周波数バンドを把握できるようにするため、無線通信ネットワーク全体で対応している周波数バンドを示す情報を予め格納部１０３などに格納しておくようにしてもよい。
【００７２】
［生成方法３］
生成部１０４は、ユーザ装置ＵＥが対応している全てのＣＡバンドコンビネーションのうち、ハンドオーバー要求を送信する基地局ｅＮＢで対応している周波数バンド内で２ＤＬ／１ＵＬのＣＡバンドコンビネーションに該当する全てのＣＡバンドコンビネーションを選択してＣＡバンドコンビネーション情報を生成する。例えば、ユーザ装置ＵＥが対応している全てのＣＡバンドコンビネーションが図６に示すＣＡバンドコンビネーションであり、ハンドオーバー要求を送信する基地局ｅＮＢで対応している周波数バンドが１．５Ｇ（２１Ａ）及び２Ｇ（１Ａ）であった場合、生成部１０４は、Ｎｏ．１３及びＮｏ．１４のＣＡバンドコンビネーションを、従来のＣＡバンドコンビネーション情報に含めるようにする。なお、生成部１０４が、ハンドオーバー要求を送信する基地局ｅＮＢで対応している周波数バンドを把握できるようにするため、無線通信ネットワーク内に存在する全基地局ｅＮＢの各々で対応している周波数バンドを示す情報を予め格納部１０３などに格納しておくようにしてもよい。
【００７３】
［生成方法４］
生成部１０４は、ユーザ装置ＵＥが対応している全てのＣＡバンドコンビネーションのうち、無線通信ネットワーク全体で対応している周波数バンド内で２ＤＬ／１ＵＬのＣＡバンドコンビネーションを少なくとも１つ選択してＣＡバンドコンビネーション情報を生成する。例えば、ユーザ装置ＵＥが対応している全てのＣＡバンドコンビネーションが図６に示すＣＡバンドコンビネーションであり、無線通信ネットワーク全体で対応している周波数バンドが８００Ｍ（１９Ａ）及び２Ｇ（１Ａ）であった場合、生成部１０４は、Ｎｏ．１５及びＮｏ．１６のＣＡバンドコンビネーションのうち少なくとも１つを、従来のＣＡバンドコンビネーション情報に含めるようにする。
【００７４】
［生成方法５］
生成部１０４は、ユーザ装置ＵＥが対応している全てのＣＡバンドコンビネーションのうち、ハンドオーバー要求を送信する基地局ｅＮＢで対応している周波数バンド内で２ＤＬ／１ＵＬのＣＡバンドコンビネーションを少なくとも１つ選択してＣＡバンドコンビネーション情報を生成する。例えば、ユーザ装置ＵＥが対応している全てのＣＡバンドコンビネーションが図６に示すＣＡバンドコンビネーションであり、ハンドオーバー要求を送信する基地局ｅＮＢで対応している周波数バンドが１．５Ｇ（２１Ａ）及び２Ｇ（１Ａ）であった場合、生成部１０４は、Ｎｏ．１３及びＮｏ．１４のＣＡバンドコンビネーションのうち少なくとも１つを、従来のＣＡバンドコンビネーション情報に含めるようにする。
【００７５】
［生成方法６］
生成部１０４は、ユーザ装置ＵＥが対応している全てのＣＡバンドコンビネーションのうち、Ｎｏｎ−ＣＡのＣＡバンドコンビネーションに該当する全てのＣＡバンドコンビネーションを選択してＣＡバンドコンビネーション情報を生成する。例えば、ユーザ装置ＵＥが対応している全てのＣＡバンドコンビネーションが図６に示すＣＡバンドコンビネーションであった場合、生成部１０４は、Ｎｏ．１７〜Ｎｏ．１９のＣＡバンドコンビネーションを、従来のＣＡバンドコンビネーション情報に含めるようにする。
【００７６】
なお、生成部１０４は、生成方法６と、生成方法１〜５のうちいずれか１つの生成方法とを組み合わせるようにしてもよい。例えば、生成部１０４は、生成方法１と生成方法６とを組み合わせてもよいし、生成方法２と生成方法６とを組み合わせてもよいし、生成方法３と生成方法６とを組み合わせてもよいし、生成方法４と生成方法６とを組み合わせてもよいし、生成方法５と生成方法６とを組み合わせてもよい。生成方法１と生成方法６とが組み合わされた場合、生成部１０４は、図６のＮｏ．１１〜Ｎｏ．１９のＣＡバンドコンビネーションを、従来のＣＡバンドコンビネーション情報に含めることになる。
【００７７】
［生成方法７］
生成部１０４は、ユーザ装置ＵＥが対応している全てのＣＡバンドコンビネーションを、全て従来のＣＡバンドコンビネーション情報に含めるようにする。例えば、ユーザ装置ＵＥが対応している全てのＣＡバンドコンビネーションが図６に示すＣＡバンドコンビネーションであった場合、生成部１０４は、Ｎｏ．１〜Ｎｏ．１９のＣＡバンドコンビネーションを、全て従来のＣＡバンドコンビネーション情報に含めるようにする。
【００７８】
［生成方法８］
生成部１０４は、ユーザ装置ＵＥが対応している全てのＣＡバンドコンビネーションのうち、５ＤＬ／５ＵＬのＣＡバンドコンビネーション及びそのフォールバックバンドコンビネーションに該当する全てのＣＡバンドコンビネーションを選択してＣＡバンドコンビネーション情報を生成する。
【００７９】
以上、生成方法１〜８について説明したが、生成部１０４は、生成方法６で説明した組み合わせに限られず、生成方法１〜８を複数組み合わせてもよい。
【００８０】
＜まとめ＞
以上実施の形態によれば、キャリアアグリゲーションに対応した無線通信システムにおける基地局であって、ユーザ装置がキャリアアグリゲーションで対応可能なバンドの組み合わせを示す第一のバンド組み合わせ情報であって第一のフォーマットで生成された第一のバンド組み合わせ情報を前記ユーザ装置から受信する受信部と、前記第一のバンド組み合わせ情報で示されるバンドの組み合わせに基づいて、第二のバンド組み合わせ情報を第二のフォーマットを用いて生成する生成部と、前記生成部により生成された前記第二のバンド組み合わせ情報を、当該基地局とは異なる他の基地局又は交換機に送信する送信部と、を有する基地局が提供される。この基地局ｅＮＢにより、ユーザ装置で対応可能なＣＡバンドコンビネーションを各基地局に把握させることが可能な技術が提供される。
【００８１】
また、前記送信部は、前記第一のバンド組み合わせ情報と前記第二のバンド組み合わせ情報とを、前記他の基地局又は前記交換機に送信するようにしてもよい。これにより、ＨＯ等のターゲット先の他の基地局ｅＮＢが新たなＣＡバンドコンビネーション情報を解釈できる場合に、当該他の基地局ｅＮＢがユーザ装置ＵＥから新たなＣＡバンドコンビネーション情報を取得する処理を削減することができる。
【００８２】
また、前記生成部は、前記第一のバンド組み合わせ情報で示されるバンドの組み合わせのうち少なくとも１つ以上のバンド組み合わせを選択し、選択した１つ以上のバンド組み合わせを示す第二のバンド組み合わせ情報を第二のフォーマットを用いて生成するようにしてもよい。これにより、従来のＣＡバンドコンビネーション情報の情報量が小さくなり、シグナリングメッセージの信号量を削減することが可能になる。
【００８３】
また、前記第一のバンド組み合わせ情報は、組み合わせるＣＣ数が最も多い最上位のバンド組み合わせを示す最上位バンド組み合わせ情報、を含む情報、組み合わせるＣＣ数が最も多い最上位のバンド組み合わせを示す最上位バンド組み合わせ情報と、前記ユーザ装置が対応していない非対応のバンド組み合わせを示す非対応バンド組み合わせ情報と、を含む情報、組み合わせるＣＣ数が最も多い最上位のバンド組み合わせを示す最上位バンド組み合わせ情報と、前記ユーザ装置が対応していない非対応のバンド組み合わせを示す非対応バンド組み合わせ情報と、最上位バンド組み合わせに対応するパラメータと異なるパラメータを有するバンド組み合わせを示す例外バンド組み合わせ情報を含む情報と、を含む情報、組み合わせるＣＣ数が最も多い最上位のバンド組み合わせを示す最上位バンド組み合わせ情報と、最上位バンド組み合わせに対応するパラメータと異なるパラメータを有するバンド組み合わせを示す例外バンド組み合わせ情報を含む情報と、を含む情報、のうちいずれか１つであるようにしてもよい。これにより、新たなＣＡバンドコンビネーション情報の情報量を削減しつつ、様々なＣＡバンドコンビネーションを表現することが可能になる。
【００８４】
また、前記第一のバンド組み合わせ情報は、ＳｕｐｐｏｒｔｅｄＢａｎｄＣｏｍｂｉｎａｔｉｏｎ−ｒ１３であり、前記第二のバンド組み合わせ情報は、ＳｕｐｐｏｒｔｅｄＢａｎｄＣｏｍｂｉｎａｔｉｏｎ−ｒ１０であるようにしてもよい。これにより、ユーザ装置で対応可能なＣＡバンドコンビネーションを各基地局に把握させることが可能な技術が提供される。
【００８５】
また、実施の形態によれば、キャリアアグリゲーションに対応した無線通信システムにおける基地局が行う通知方法であって、ユーザ装置がキャリアアグリゲーションで対応可能なバンドの組み合わせを示す第一のバンド組み合わせ情報であって第一のフォーマットで生成された第一のバンド組み合わせ情報を前記ユーザ装置から受信する受信ステップと、前記第一のバンド組み合わせ情報で示されるバンドの組み合わせに基づいて、第二のバンド組み合わせ情報を第二のフォーマットを用いて生成する生成ステップと、前記生成ステップにより生成された前記第二のバンド組み合わせ情報を、当該基地局とは異なる他の基地局又は交換機に送信する送信ステップと、を有する通知方法が提供される。この通知方法により、ユーザ装置で対応可能なＣＡバンドコンビネーションを各基地局に把握させることが可能な技術が提供される。
【００８６】
＜実施形態の補足＞
本実施の形態で説明したＲｅｌ．１３で検討されているＣＡバンドコンビネーション情報のフォーマットはあくまで一例であり、本実施の形態は、実施の形態で説明したフォーマットに限らず適用することができる。
【００８７】
方法の請求項は、サンプル的順序で様々なステップの要素を提示しており、請求項の中で明記していない限り、提示した特定の順序に限定されない。
【００８８】
以上、本発明の実施の形態で説明する各装置（ユーザ装置ＵＥ／基地局ｅＮＢ／交換機ＭＭＥ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００８９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢ／交換機ＭＭＥは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、本発明の実施の形態に従って基地局ｅＮＢが有するプロセッサにより動作するソフトウェア及び本発明の実施の形態に従って交換機ＭＭＥが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９０】
なお、実施の形態において、Ｒｅｌ．１３で検討されているフォーマットは、第一のフォーマットの一例である。Ｒｅｌ．１０で規定されているフォーマットは、第二のフォーマットの一例である。新たなＣＡバンドコンビネーション情報は、第一のバンド組み合わせ情報の一例である。従来のＣＡバンドコンビネーション情報は、第二のバンド組み合わせ情報の一例である。「ＣＡバンドコンビネーション情報」は、バンド組み合わせ情報の一例である。「最上位のＣＡバンドコンビネーションを示す情報」は、最上位バンド組み合わせ情報の一例である。「非対応のフォールバックバンドコンビネーションを示す情報」は、非対応バンド組み合わせ情報の一例である。また、「各種パラメータのうち最上位のＣＡバンドコンビネーションと異なるパラメータのみが設定されたフォールバックバンドコンビネーションの情報」は、例外バンド組み合わせ情報の一例である。
【００９１】
本特許出願は２０１５年９月２４日に出願した日本国特許出願第２０１５−１８７４９７号に基づきその優先権を主張するものであり、日本国特許出願第２０１５−１８７４９７号の全内容を本願に援用する。
【符号の説明】
【００９２】
ＵＥ  ユーザ装置
ｅＮＢ  基地局
ＭＭＥ  交換機
１０  ＲＥモジュール
１１  ＢＢ処理モジュール
１２  装置制御モジュール
１３  通信ＩＦ
２０  ＣＰＵ
２１  メモリ
２２  通信ＩＦ
２３  補助記憶装置
２４  入力装置
２５  出力装置
１０１  信号送信部
１０２  信号受信部
１０３  格納部
１０４  生成部
２０１  信号送信部
２０２  信号受信部
２０３  格納部
【図１Ａ】
2017051807.tif 000003
【図１Ｂ】
2017051807.tif 000004
【図１Ｃ】
2017051807.tif 000005
【図２】
2017051807.tif 000006
【図３Ａ】
2017051807.tif 000007
【図３Ｂ】
2017051807.tif 000008
【図４】
2017051807.tif 000009
【図５Ａ】
2017051807.tif 000010
【図５Ｂ】
2017051807.tif 000011
【図６】
2017051807.tif 000012
【図７】
2017051807.tif 000013
【図８】
2017051807.tif 000014
【図９】
2017051807.tif 000015
【図１０】
2017051807.tif 000016
【図１１】
2017051807.tif 000017
【図１２】
2017051807.tif 000018
【図１３】
2017051807.tif 000019
【図１４】
2017051807.tif 000020
【図１５】
2017051807.tif 000021
【図１６】
2017051807.tif 000022
【図１７】
2017051807.tif 000023
【図１８】
2017051807.tif 000024
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
キャリアアグリゲーションに対応した無線通信システムにおける基地局であって、
第一のフォーマットを有する、キャリアアグリゲーションにおいてユーザ装置にサポートされる第一のバンド組み合わせ情報を、前記ユーザ装置から受信する受信部と、
前記第一のバンド組み合わせ情報で示されるバンドの組み合わせに基づいて、第二のバンド組み合わせ情報を第二のフォーマットを用いて生成する生成部と、
前記生成部により生成された前記第二のバンド組み合わせ情報を、当該基地局とは異なる他の基地局又は交換機に送信する送信部と、
を有する基地局。
【請求項２】
前記送信部は、前記第一のバンド組み合わせ情報と前記第二のバンド組み合わせ情報とを、前記他の基地局又は前記交換機に送信する、請求項１に記載の基地局。
【請求項３】
前記生成部は、前記第一のバンド組み合わせ情報で示されるバンドの組み合わせのうち少なくとも１つ以上のバンド組み合わせを選択し、選択した１つ以上のバンド組み合わせを示す第二のバンド組み合わせ情報を第二のフォーマットを用いて生成する、請求項１又は２に記載の基地局。
【請求項４】
前記第一のバンド組み合わせ情報は、
組み合わせるＣＣ数が最も多い最上位のバンド組み合わせを示す最上位バンド組み合わせ情報、を含む情報、
組み合わせるＣＣ数が最も多い最上位のバンド組み合わせを示す最上位バンド組み合わせ情報と、前記ユーザ装置が対応していない非対応のバンド組み合わせを示す非対応バンド組み合わせ情報と、を含む情報、
組み合わせるＣＣ数が最も多い最上位のバンド組み合わせを示す最上位バンド組み合わせ情報と、前記ユーザ装置が対応していない非対応のバンド組み合わせを示す非対応バンド組み合わせ情報と、最上位バンド組み合わせに対応するパラメータと異なるパラメータを有するバンド組み合わせを示す例外バンド組み合わせ情報を含む情報と、を含む情報、
組み合わせるＣＣ数が最も多い最上位のバンド組み合わせを示す最上位バンド組み合わせ情報と、最上位バンド組み合わせに対応するパラメータと異なるパラメータを有するバンド組み合わせを示す例外バンド組み合わせ情報を含む情報と、を含む情報、
のうちいずれか１つである、請求項１乃至３のいずれか一項に記載の基地局。
【請求項５】
前記第一のバンド組み合わせ情報は、ＳｕｐｐｏｒｔｅｄＢａｎｄＣｏｍｂｉｎａｔｉｏｎ−ｒ１３であり、前記第二のバンド組み合わせ情報は、ＳｕｐｐｏｒｔｅｄＢａｎｄＣｏｍｂｉｎａｔｉｏｎ−ｒ１０である、請求項１乃至４のいずれか一項に記載の基地局。
【請求項６】
キャリアアグリゲーションに対応した無線通信システムにおける基地局が行う通知方法であって、
第一のフォーマットを有する、キャリアアグリゲーションにおいてユーザ装置にサポートされる第一のバンド組み合わせ情報を、前記ユーザ装置から受信する受信ステップと、
前記第一のバンド組み合わせ情報で示されるバンドの組み合わせに基づいて、第二のバンド組み合わせ情報を第二のフォーマットを用いて生成する生成ステップと、
前記生成ステップにより生成された前記第二のバンド組み合わせ情報を、当該基地局とは異なる他の基地局又は交換機に送信する送信ステップと、
を有する通知方法。
【手続補正２】
【補正対象書類名】明細書
【補正対象項目名】００１２
【補正方法】変更
【補正の内容】
【００１２】
開示の技術の基地局は、キャリアアグリゲーションに対応した無線通信システムにおける基地局であって、第一のフォーマットを有する、キャリアアグリゲーションにおいてユーザ装置にサポートされる第一のバンド組み合わせ情報を、前記ユーザ装置から受信する受信部と、前記第一のバンド組み合わせ情報で示されるバンドの組み合わせに基づいて、第二のバンド組み合わせ情報を第二のフォーマットを用いて生成する生成部と、前記生成部により生成された前記第二のバンド組み合わせ情報を、当該基地局とは異なる他の基地局又は交換機に送信する送信部と、を有する。
【国際調査報告】
2017051807.tif 000025
2017051807.tif 000026
2017051807.tif 000027
2017051807.tif 000028